【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
制御局が複数の従属局宛てのデータをスーパーフレーム毎にブロードキャスト送信する通信システムであって、
前記複数の従属局のそれぞれは、
Ｎ（Ｎは整数）番目のスーパーフレームにおいて前記制御局からブロードキャスト送信されたデータを受信する手段と、
Ｎ番目のスーパーフレーム内の自局に割当てられたタイムスロットにおいて、前記データの受信状況を示す認識応答を送信する手段と、
他の従属局から送信される前記認識応答に応じて、当該他の従属局宛てのデータをＮ＋１番目のスーパーフレーム内の自局に割当てられたタイムスロットにおいて中継伝送する手段とを有することを特徴とする通信システム。
【請求項２】
前記中継伝送する手段は、前記制御局からのデータを正常に受信したことを示す認識応答を他の従属局から受信できなかった場合に、当該他の従属局宛てのデータを中継伝送することを特徴とする請求項１に記載の通信システム。
【請求項３】
前記中継伝送する手段は、前記制御局からのデータを正常に受信しなかったことを示す認識応答を他の従属局から受信した場合に、当該他の従属局宛てのデータを中継伝送することを特徴とする請求項１に記載の通信システム。
【請求項４】
前記複数の従属局のそれぞれは、前記他の従属局宛てのデータを中継伝送しない場合、自局に割当てられたタイムスロットのうち当該中継伝送のために予約されていた期間に他のデータを送信することを特徴とする請求項１に記載の通信システム。
【請求項５】
前記制御局は、前記複数の従属局のそれぞれが前記他の従属局宛てのデータを中継伝送するために予約されている期間のうち、使用されていない期間を検出する手段を更に有し、
前記検出された期間に他のデータを送信することを特徴とする請求項１乃至４の何れか１項に記載の通信システム。
【請求項６】
前記複数の従属局は、前記認識応答と前記中継伝送するデータとを１つのフレームで送信することを特徴とする請求項１乃至４の何れか１項に記載の通信システム。
【請求項７】
前記制御局からブロードキャスト送信され、前記複数の従属局の間で中継伝送されるデータは、同期データであることを特徴とする請求項１乃至５の何れか１項に記載の通信システム。
【請求項８】
制御局が複数の従属局宛てのデータをスーパーフレーム毎にブロードキャスト送信する通信システムの従属局であって、
Ｎ（Ｎは整数）番目のスーパーフレームにおいて前記制御局からブロードキャスト送信されたデータを受信する手段と、
Ｎ番目のスーパーフレーム内の自局に割当てられたタイムスロットにおいて、前記データの受信状況を示す認識応答を送信する手段と、
他の従属局から送信される前記認識応答に応じて、当該他の従属局宛てのデータをＮ＋１番目のスーパーフレーム内の自局に割当てられたタイムスロットにおいて中継伝送する手段とを有することを特徴とする通信システムの従属局。
【請求項９】
制御局が複数の従属局宛てのデータをスーパーフレーム毎にブロードキャスト送信する通信システムにおける従属局の中継伝送方法であって、
受信する手段が、Ｎ（Ｎは整数）番目のスーパーフレームにおいて前記制御局からブロードキャスト送信されたデータを受信する工程と、
送信する手段が、Ｎ番目のスーパーフレーム内の自局に割当てられたタイムスロットにおいて、前記データの受信状況を示す認識応答を送信する工程と、
中継伝送する手段が、他の従属局から送信される前記認識応答に応じて、当該他の従属局宛てのデータをＮ＋１番目のスーパーフレーム内の自局に割当てられたタイムスロットにおいて中継伝送する工程とを有することを特徴とする通信システムにおける従属局の中継伝送方法。
【請求項１０】
請求項９に記載の通信システムにおける従属局の中継伝送方法の各工程をコンピュータに実行させるためのプログラム。
【手続補正２】
【補正対象書類名】明細書
【補正対象項目名】発明の名称
【補正方法】変更
【補正の内容】
【発明の名称】通信システム及びその従属局並びに中継伝送方法
【手続補正３】
【補正対象書類名】明細書
【補正対象項目名】０００１
【補正方法】変更
【補正の内容】
【０００１】
本発明は、制御局が複数の従属局宛てのデータをスーパーフレーム毎にブロードキャスト送信する技術に関するものである。
【手続補正４】
【補正対象書類名】明細書
【補正対象項目名】００２７
【補正方法】変更
【補正の内容】
【００２７】
本発明は、通信システムにおいて、通信帯域の利用効率を改善し、同期データ及び非同期データを含む全体のデータ伝送量を増大させることを目的とする。
【手続補正５】
【補正対象書類名】明細書
【補正対象項目名】００２８
【補正方法】変更
【補正の内容】
【００２８】
本発明は、制御局が複数の従属局宛てのデータをスーパーフレーム毎にブロードキャスト送信する通信システムであって、
前記複数の従属局のそれぞれは、
Ｎ（Ｎは整数）番目のスーパーフレームにおいて前記制御局からブロードキャスト送信されたデータを受信する手段と、
Ｎ番目のスーパーフレーム内の自局に割当てられたタイムスロットにおいて、前記データの受信状況を示す認識応答を送信する手段と、
他の従属局から送信される前記認識応答に応じて、当該他の従属局宛てのデータをＮ＋１番目のスーパーフレーム内の自局に割当てられたタイムスロットにおいて中継伝送する手段とを有することを特徴とする。
【手続補正６】
【補正対象書類名】明細書
【補正対象項目名】００２９
【補正方法】変更
【補正の内容】
【００２９】
また、本発明は、制御局が複数の従属局宛てのデータをスーパーフレーム毎にブロードキャスト送信する通信システムの従属局であって、
Ｎ（Ｎは整数）番目のスーパーフレームにおいて前記制御局からブロードキャスト送信されたデータを受信する手段と、
Ｎ番目のスーパーフレーム内の自局に割当てられたタイムスロットにおいて、前記データの受信状況を示す認識応答を送信する手段と、
他の従属局から送信される前記認識応答に応じて、当該他の従属局宛てのデータをＮ＋１番目のスーパーフレーム内の自局に割当てられたタイムスロットにおいて中継伝送する手段とを有することを特徴とする。
【手続補正７】
【補正対象書類名】明細書
【補正対象項目名】００３０
【補正方法】変更
【補正の内容】
【００３０】
更に、本発明は、制御局が複数の従属局宛てのデータをスーパーフレーム毎にブロードキャスト送信する通信システムにおける従属局の中継伝送方法であって、
受信する手段が、Ｎ（Ｎは整数）番目のスーパーフレームにおいて前記制御局からブロードキャスト送信されたデータを受信する工程と、
送信する手段が、Ｎ番目のスーパーフレーム内の自局に割当てられたタイムスロットにおいて、前記データの受信状況を示す認識応答を送信する工程と、
中継伝送する手段が、他の従属局から送信される前記認識応答に応じて、当該他の従属局宛てのデータをＮ＋１番目のスーパーフレーム内の自局に割当てられたタイムスロットにおいて中継伝送する工程とを有することを特徴とする。
【手続補正８】
【補正対象書類名】明細書
【補正対象項目名】００３１
【補正方法】変更
【補正の内容】
【００３１】
本発明によれば、通信システムにおいて、通信帯域の利用効率を改善し、同期データ及び非同期データを含む全体のデータ伝送量を増大させることができる。